(57)【要約】【課題】本願が開示する技術は、一つの側面として、利用者が片手でスタンドを筐体から展開可能にしつつ、利用者が意図しないスタンドの展開を抑制することを目的とする。【解決手段】電子装置１０は、筐体２０と、スタンド３０と、筐体側接合磁石５０と、回動体８０と、を備える。スタンド３０は、筐体２０から展開される。筐体側接合磁石５０は、筐体２０から展開される前のスタンド３０を拘束する。回動体８０は、筐体２０に設けられ、筐体側接合磁石５０によるスタンド３０の拘束を解除する。【選択図】図７
2018206852.tif 000002
【特許請求の範囲】
【請求項１】
筐体と、
前記筐体から展開されるスタンドと、
前記筐体から展開される前の前記スタンドを拘束する拘束部と、
前記筐体に設けられ、前記拘束部による前記スタンドの拘束を解除する回動体と、
を備える電子装置。
【請求項２】
前記回動体は、前記筐体の一端部に設けられる、
請求項１に記載の電子装置。
【請求項３】
前記拘束部は、
前記筐体に設けられる筐体側接合部と、
前記スタンドに設けられ、磁力によって前記筐体側接合部に接合されるスタンド側接合部と、
を有し、
前記回動体は、該回動体の回転に伴って前記筐体側接合部を前記スタンド側接合部から離間させる、
請求項１又は請求項２に記載の電子装置。
【請求項４】
前記筐体側接合部は、筐体側接合磁石を有し、
前記スタンド側接合部は、前記筐体側接合磁石と磁極が異なるスタンド側接合磁石を有する、
請求項３に記載の電子装置。
【請求項５】
前記筐体に設けられ、前記筐体の姿勢を応じ、自重によって前記筐体側接合部の移動を制限する制限状態と、前記筐体側接合部の移動の制限を解除する解除状態とに変移されるロック部材を備える、
請求項３又は請求項４に記載の電子装置。
【請求項６】
前記筐体に設けられるスライダを備え、
前記回動体は、該回動体の回転に伴って、前記スライダを前記スタンドに対して移動させる押し部を有し、
前記筐体側接合部は、前記スライダに設けられる、
請求項５に記載の電子装置。
【請求項７】
前記ロック部材は、前記制限状態において前記スライダの移動を制限し、前記解除状態において前記スライダの移動の制限を解除する、
請求項６に記載の電子装置。
【請求項８】
前記ロック部材は、前記回動体を下にして前記筐体が設置面上に立てられた状態で前記制限状態となり、前記筐体が前記設置面に対して前記スタンド側へ傾斜された状態で前記解除状態となる、
請求項５〜請求項７の何れか１項に記載の電子装置。
【請求項９】
前記ロック部材は、前記筐体の横幅方向に延びる回動軸を介して前記筐体に連結され、
前記筐体の姿勢に応じ、自重により前記回動軸を中心として回動し、前記制限状態と前記解除状態とに変移される、
請求項５〜請求項８の何れか１項に記載の電子装置。
【発明の詳細な説明】
【技術分野】
【０００１】
本願が開示する技術は、電子装置に関する。
【背景技術】
【０００２】
キーボード等が設けられる操作面を有する装置本体と、装置本体の下面から突出し、操作面を傾斜させる傾斜機構とを備える電子装置がある（例えば、特許文献１，２参照）。
【先行技術文献】
【特許文献】
【０００３】
【特許文献１】特開平９−２８３９４３号公報
【特許文献２】特開平７−２８５５７号公報
【発明の概要】
【発明が解決しようとする課題】
【０００４】
ところで、筐体と、筐体に展開可能に収容されるとともに筐体から展開された状態で、筐体を所定の傾斜角度で保持するスタンドとを備える電子装置がある。この種の電子装置には、筐体に収容されたスタンドを拘束する拘束機構が設けられる。
【０００５】
ここで、利用者が電子装置を机等に設置する際には、例えば、利用者が一方の手で電子装置を持ちながら他方の手によって拘束機構を操作し、筐体からスタンドを展開させる。
【０００６】
しかしながら、上記の電子装置では、利用者がスタンドを筐体から展開する際に両手を使用するため、スタンドの展開に手間がかかる可能性がある。
【０００７】
この対策として、例えば、筐体の端部に押しボタンを設け、当該押しボタンを設置面に押し付けることにより拘束機構を作動させることが考えられる。しかしながら、この場合、例えば、利用者が電子装置を鞄に入れる際に押しボタンが押され、利用者の意図に反してスタンドが展開される可能性がある。
【０００８】
本願が開示する技術は、一つの側面として、利用者が片手でスタンドを筐体から展開可能にしつつ、利用者が意図しないスタンドの展開を抑制することを目的とする。
【課題を解決するための手段】
【０００９】
本願が開示する技術では、電子装置は、筐体と、スタンドと、拘束部と、回動体と、を備える。スタンドは、筐体から展開される。拘束部は、筐体から展開される前のスタンドを拘束する。回動体は、筐体に設けられ、拘束部によるスタンドの拘束を解除する。
【発明の効果】
【００１０】
本願が開示する技術によれば、一つの側面として、利用者が片手でスタンドを筐体から展開可能にしつつ、利用者が意図しないスタンドの展開を抑制することができる。
【図面の簡単な説明】
【００１１】
【図１】図１は、一実施形態に係る電子装置を正面側から見た斜視図である。
【図２】図２は、図１に示される電子装置を背面側から見た斜視図である。
【図３】図３は、スタンドの展開状態を示す図２に示される電子装置の側面図である。
【図４】図４は、スタンド用弾性体を示す図２の一部拡大斜視図である。
【図５】図５は、スタンドの展開状態を電子装置の背面側から見た斜視図である。
【図６】図６は、図５の６−６線断面図である。
【図７】図７は、図１に示される電子装置が設置面上に立てられた状態を示す電子装置の縦断面図である。
【図８】図８は、図７に示される回動体を示す斜視図である。
【図９】図９は、図７に示されるロック部材を示す斜視図である。
【図１０】図１０は、図７に示される電子装置がスタンド側へ傾倒され、ロック部材が制限状態から解除状態へ変移した状態を示す電子装置の縦断面図である。
【図１１】図１１は、図１０に示される電子装置を設置面上でスタンド側へ走行させた状態を示す電子装置の縦断面図である。
【図１２】図１２は、筐体のスタンド収容部からスタンドが展開された始めた状態を示す電子装置の縦断面図である。
【図１３】図１３は、図１に示される電子装置の背面が設置面上に設置された状態を示す電子装置の縦断面図である。
【図１４】図１４は、図１に示される電子装置の変形例を示す図１０に相当する電子装置の縦断面図である。
【図１５】図１５は、図１に示される電子装置の変形例を示す図１０に相当する電子装置の縦断面図である。
【図１６】図１６は、図１に示される電子装置の変形例を示す図１２に相当する電子装置の縦断面図である。
【発明を実施するための形態】
【００１２】
以下、本願が開示する技術の一実施形態について説明する。
【００１３】
（電子装置）
図１及び図２に示されるように、本実施形態に係る電子装置１０は、例えば、タブレット端末等の携帯用電子装置とされる。この電子装置１０は、表示器１２と、筐体２０と、スタンド３０とを備える。
【００１４】
なお、各図において適宜示される矢印Ｘは、電子装置１０（筐体２０）の横幅方向を示す。また、矢印Ｙは、電子装置１０（筐体２０）の縦幅方向を示す。さらに、矢印Ｔは、電子装置１０（筐体２０）の厚み方向を示す。
【００１５】
（表示器）
表示器１２は、例えば、液晶表示器とされる。この表示器１２は、画像や映像等を表示する表示面１２Ａを有する。また、表示器１２の表示面１２Ａは、利用者が指又はペン等でタッチ操作可能な操作面とされる。この表示器１２は、筐体２０に収容される。なお、表示器１２のタッチ操作機能は、適宜省略可能である。
【００１６】
（筐体）
筐体２０は、扁平な箱状に形成される。また、筐体２０は、当該筐体２０の厚み方向（矢印Ｔ方向）から見て、矩形状に形成される。この筐体２０は、当該筐体２０の厚み方向に分割されるフロントカバー２２及びリアカバー２４を有する。
【００１７】
フロントカバー２２は、筐体２０の厚み方向から見て、矩形の枠状に形成される。このフロントカバー２２は、表示器１２の表示面１２Ａの外周部を覆う。また、フロントカバー２２の中央部には、表示器１２の表示面１２Ａを露出させる窓部２２Ａが形成される。このフロントカバー２２によって、筐体２０の正面２０Ｆが形成される。
【００１８】
図２に示されるように、リアカバー２４は、表示器１２の背面（表示面１２Ａと反対側の面）を全面に亘って覆う。このリアカバー２４によって、筐体２０の背面２０Ｒが形成される。また、リアカバー２４には、スタンド収容部２６が設けられる。なお、筐体２０の背面２０Ｒは、筐体２０の厚み方向一方側の面の一例である。
【００１９】
スタンド収容部２６は、リアカバー２４の外周部に沿ったＵ字形状（Ｃ字形状）の溝部とされる。また、スタンド収容部２６は、リアカバー２４の外周部の略半周に亘って形成される。このスタンド収容部２６には、スタンド３０が展開可能に収容される。
【００２０】
（スタンド）
スタンド３０は、Ｕ字形状（Ｃ字形状）に形成される。このスタンド３０は、一対のスタンドアーム部３２と、スタンド脚部３４とを有する。一対のスタンドアーム部３２は、筐体２０の縦幅方向（矢印Ｙ方向）に延びるとともに、筐体２０の横幅方向（矢印Ｘ方向）に互い対向して配置される。この一対のスタンドアーム部３２の長手方向の一端部は、スタンド脚部３４を介して互いに連結される。
【００２１】
スタンド脚部３４は、筐体２０の縦幅方向の一端部２０Ｅ１に沿って、筐体２０の横幅方向に延びる。このスタンド脚部３４は、図３に示されるように、スタンド収容部２６からスタンド３０が展開された展開状態において、筐体２０が設置される机等の設置面Ｍに接地される。
【００２２】
図２に示されるように、スタンドアーム部３２の長手方向の他端部は、一対の回動軸（スタンド用回動軸）３６を介して筐体２０に連結される。一対の回動軸３６は、筐体２０の縦幅方向の中央部に設けられる。また、一対の回動軸３６は、筐体２０の横幅方向に延びるとともに、互いに同軸上に配置される。
【００２３】
図３に示されるように、一対のスタンドアーム部３２は、一対の回動軸３６を中心として、筐体２０に対して回動される。この一対のスタンドアーム部３２の回動に伴って、スタンド３０が、筐体２０のスタンド収容部２６に収容される収容状態（図２に示される状態）と、スタンド収容部２６から展開された展開状態（図３に示される状態）とに変移される。
【００２４】
なお、スタンド３０の収容状態は、筐体２０からスタンド３０が展開される前の状態の一例である。また、スタンド収容部２６は、適宜省略可能である。また、スタンド収容部２６が省略された場合は、例えば、スタンド３０は、筐体２０から突出された状態で筐体２０側に配置（収容）される。
【００２５】
スタンド３０は、展開状態において、筐体２０が設置される机等の設置面Ｍに対して筐体２０の背面２０Ｒを支持する。換言すると、スタンド３０の展開状態では、筐体２０がスタンド３０に立て掛けられる。これにより、筐体２０が、設置面Ｍに対して所定の傾斜角度で保持される。なお、筐体２０には、スタンド３０の回動範囲を制限する図示しない制限部が設けられる。この制限部によって、スタンド３０が展開状態で保持される。
【００２６】
図４に示されるように、回動軸３６の周囲には、スタンド用弾性体３８が設けられる。スタンド用弾性体３８は、例えば、ねじりばねとされる。このスタンド用弾性体３８は、スタンド収容部２６に収容されたスタンドアーム部３２を展開方向（図３において矢印ａ方向）に付勢する。
【００２７】
（拘束部）
図５に示されるように、スタンド脚部３４における筐体２０側の面には、スタンド側接合磁石４０が設けられる。一方、筐体２０のスタンド収容部２６には、筐体側接合磁石５０が設けられる。筐体側接合磁石５０は、矩形の板状に形成される。
【００２８】
なお、筐体側接合磁石５０は、後述するスライダ７０に設けられる。また、スライダ７０には、後述する筐体側磁石５２が設けられる。
【００２９】
筐体側接合磁石５０は、スタンド側接合磁石４０と異なる磁極とされる。具体的には、例えば、スタンド側接合磁石４０の磁極がＳ極の場合、筐体側接合磁石５０の磁極はＮ極となる。これとは逆に、例えば、スタンド側接合磁石４０の磁極がＮ極の場合、筐体側接合磁石５０の磁極はＳ極となる。
【００３０】
これにより、図７に示されるように、スタンド３０がスタンド収容部２６に収容された収容状態において、筐体側接合磁石５０にスタンド側接合磁石４０が吸着（接合）される。この筐体側接合磁石５０及びスタンド側接合磁石４０の磁力（吸着力）によって、スタンド３０がスタンド収容部２６に拘束される。換言すると、筐体側接合磁石５０及びスタンド側接合磁石４０の磁力（吸着力）によって、スタンド収容部２６からスタンド３０の展開が制限される。
【００３１】
なお、スタンド側接合磁石４０は、スタンド側接合部の一例である。また、筐体側接合磁石５０は、拘束部及び筐体側接合部の一例である。
【００３２】
（拘束解除機構）
図５に示されるように、筐体２０には、筐体側接合磁石５０とスタンド側接合磁石４０との接合状態を解除する拘束解除機構６０が設けられる。拘束解除機構６０は、筐体２０の一端部２０Ｅ１側の角部に設けられる。この拘束解除機構６０は、スライドベース６２と、スライダ７０と、回動体８０とを有する。
【００３３】
（スライドベース）
スライドベース６２は、筐体２０の一端部２０Ｅ１側のフロントカバー２２に設けられる。このスライドベース６２は、パネル状に形成される。また、スライドベース６２は、フロントカバー２２と対向して配置される。
【００３４】
図６に示されるように、スライドベース６２には、一対のガイドスリット６４が形成される。一対のガイドスリット６４は、筐体２０の縦幅方向に延びるとともに、筐体２０の横幅方向に間隔を空けて配置される。この一対のガイドスリット６４を介して、スライドベース６２にスライダ７０が取り付けられる。
【００３５】
（スライダ）
図５に示されるように、スライダ７０は、長手方向を筐体２０の縦幅方向として配置される。このスライダ７０は、一対のガイドスリット６４に沿って、筐体２０の縦幅方向に移動可能（スライド可能）とされる。
【００３６】
図６に示されるように、スライダ７０の横断面形状は、フロントカバー２２側が開口されたＵ字形状（Ｃ字形状）とされる。このスライダ７０は、対向壁部７２と、一対の側壁部７４と、一対の爪部７６と、リブ部７８とを有する。
【００３７】
図７に示されるように、対向壁部７２は、収容状態のスタンド脚部３４と対向する。この対向壁部７２におけるスタンド脚部３４との対向面７２Ａには、前述した筐体側接合磁石５０が設けられる。また、対向壁部７２の対向面７２Ａには、後述する筐体側磁石５２が設けられる。
【００３８】
図６に示されるように、一対の側壁部７４は、対向壁部７２における筐体２０の横幅方向両側の端部に沿ってそれぞれ設けられる。また、一対の側壁部７４は、対向壁部７２から筐体２０の正面２０Ｆ側（フロントカバー２２側）へそれぞれ延出する。この一対の側壁部７４は、スライドベース６２の一対のガイドスリット６４にそれぞれ挿入される。また、一対の側壁部７４の先端部には、爪部７６がそれぞれ設けられる。
【００３９】
一対の爪部７６は、一対の側壁部７４の先端部から外側へそれぞれ延出し、一対のガイドスリット６４の縁部に係合される。この一対の爪部７６によって、一対のガイドスリット６４から一対の側壁部７４が抜け出すことが抑制される。
【００４０】
また、対向壁部７２には、リブ部７８が設けられる。リブ部７８は、スライダ７０の長手方向（筐体２０の縦幅方向）に延びるとともに、対向壁部７２から筐体２０の正面２０Ｆ側（フロントカバー２２側）へ延出し、一対のガイドスリット６４の間のスライドベース６２に当接される。このリブ部７８及び一対の爪部７６によって、スライドベース６２が両側から保持される。
【００４１】
（回動体）
図２に示されるように、回動体８０は、設置面Ｍ（図３参照）上で筐体２０を走行させる車輪として機能する。この回動体８０は、筐体２０の一端部２０Ｅ１における両側の角部にそれぞれ設けられる。具体的には、図５に示されるように、筐体２０の角部におけるフロントカバー２２には、一対のヒンジベース７９が設けられる。
【００４２】
一対のヒンジベース７９は、フロントカバー２２からスタンド３０側へ延出するとともに、筐体２０の横幅方向に互いに対向して配置される。この一対のヒンジベース７９は、回動体８０を回動可能に支持する図示しない軸受け部をそれぞれ有する。
【００４３】
図８に示されるように、回動体８０は、回動体本体８２と、一対の回動軸８４と、押し部８６とを有する。回動体本体８２は、円柱状に形成される。この回動体本体８２は、筐体２０の一端部２０Ｅ１に沿って配置される。
【００４４】
回動体本体８２は、一対のヒンジベース７９（図５参照）の間に配置される。また、回動体本体８２には、スライダ７０の移動方向（矢印Ｙ方向）の一端部７０Ｅ１（図７参照）が挿入される凹部８３が形成される。この回動体本体８２の軸方向両側の端部には、一対の回動軸８４が設けられる。
【００４５】
一対の回動軸８４は、回動体本体８２と同軸上に配置される。この一対の回動軸８４は、軸方向両側の端部から突出し、一対のヒンジベース７９（図５参照）の軸受け部に回動可能に支持される。
【００４６】
ここで、図５に示されるように、回動体本体８２の外周面８２Ａの一部は、スタンド脚部３４の角部に形成された切欠き部３４Ｋ、及びフロントカバー２２に形成された切欠き部２２Ｋから露出される。これにより、図７に示されるように、回動体本体８２の外周面８２Ａが、設置面Ｍに設置可能とされる。この回動体８０によって、筐体２０が設置面Ｍ上を走行可能とされる。
【００４７】
なお、回動体８０の数は、適宜変更可能である。また、以下の説明では、筐体２０がスタンド３０側（背面２０Ｒ側）へ向って走行する際の回動体８０の回動方向を、拘束解除方向（図７において矢印ｂ方向）という。
【００４８】
図７に示されるように、回動体本体８２には、押し部８６が設けられる。押し部８６は、回動体本体８２から径方向の外側へ壁状に延出される。また、押し部８６は、スライダ７０に対して筐体２０の一端部２０Ｅ１側に配置される。この押し部８６は、回動体８０の拘束解除方向（矢印ｂ方向）の回動に伴って、スライダ７０の一端部７０Ｅ１を押す。
【００４９】
これにより、図１１に示されるように、後述するロック部材９０が解除状態の場合、スライダ７０が一対のガイドスリット６４に沿って、筐体２０の縦幅方向の他端部２０Ｅ２側へ移動される。そして、スライダ７０が筐体２０の他端部２０Ｅ２側へ移動されると、スタンド側接合磁石４０から筐体側接合磁石５０が離れ、スタンド側接合磁石４０と筐体側接合磁石５０との吸着状態（接合状態）が解除される。つまり、スタンド側接合磁石４０及び筐体側接合磁石５０の磁力によるスタンド３０の拘束が解除される。これにより、スタンド３０が、スタンド収容部２６から展開可能になる。
【００５０】
（回動体用弾性体）
図７に示されるように、回動体８０には、回動体用弾性体８８が設けられる。回動体用弾性体８８は、例えば、ねじりばねとされる。この回動体用弾性体８８は、回動体８０の拘束解除方向と反対方向（図７において矢印ｃ方向）に回動体８０を付勢する。
【００５１】
（ロック部材）
図５に示されるように、筐体２０には、スライダ７０の移動を制限するロック部材９０が設けられる。ロック部材９０は、スライダ７０に対して筐体２０の他端部２０Ｅ２（図２参照）側に配置される。
【００５２】
具体的には、スライダ７０に対する筐体２０の他端部２０Ｅ２側には、一対のヒンジベース８９が設けられる。一対のヒンジベース８９は、スライドベース６２からスタンド３０側へ突出するとともに、筐体２０の横幅方向に互いに対向して配置される。この一対のヒンジベース８９は、ロック部材９０を回動可能に支持する図示しない軸受け部を有する。
【００５３】
図９に示されるように、ロック部材９０は、ロック本体９２と、一対の回動軸９４と、錘部９６とを有する。ロック本体９２は、円柱状に形成される。このロック本体９２は、筐体２０の横幅方向に沿って配置される。また、ロック本体９２は、一対のヒンジベース８９（図５参照）の間に配置される。このロック本体９２の軸方向両側の端部には、一対の回動軸９４が設けられる。
【００５４】
一対の回動軸（ロック部材用回動軸）９４は、ロック本体９２と同軸上に配置される。この一対の回動軸９４は、ロック本体９２の軸方向両側の端部から突出し、一対のヒンジベース８９（図５参照）の軸受け部に回動可能に支持される。
【００５５】
ロック本体９２には、開口部９８が形成される。開口部９８は、ロック本体９２の外周面に形成される。また、開口部９８は、ロック本体９２を径方向に貫通する。
【００５６】
図１０に示されるように、開口部９８には、ロック本体９２の回動に伴って、スライダ７０の移動経路上に配置される。そして、図１１に示されるように、開口部９８がスライダ７０の移動経路上に配置されると、スライダ７０の移動方向の他端部７０Ｅ２が開口部９８に挿入可能となる。つまり、スライダ７０が、筐体２０の他端部２０Ｅ２側へ移動可能となる。
【００５７】
図７に示されるように、ロック本体９２における開口部９８に周縁部は、ストッパ部９２Ｓとされる。ストッパ部９２Ｓは、ロック本体９２の回動に伴って、スライダ７０の移動経路上に配置される。そして、ストッパ部９２Ｓがスライダ７０の移動経路上に配置されると、スライダ７０の他端部７０Ｅ２がストッパ部９２Ｓに係合可能となる。このストッパ部９２Ｓによって、スライダ７０の筐体２０の他端部２０Ｅ２側への移動が制限される。なお、本実施形態では、後述する錘部９６もストッパ部として機能する。
【００５８】
（錘部）
ロック本体９２には、ロック本体９２の姿勢を制御する錘部９６が設けられる。錘部９６は、開口部９８の周縁部から突出する。これにより、ロック部材９０の重心が、一対の回動軸９４に対して錘部９６側に位置される。
【００５９】
この結果、図１０に示されるように、回動体８０が設置面Ｍに設置された状態で、筐体２０が設置面Ｍに対して厚み方向（矢印ｄ方向）に傾倒されると、ロック部材９０は、錘部９６が常に下側になるように一対の回動軸９４を中心として回動する。つまり、ロック部材９０は、筐体２０の姿勢を応じ、錘部９６が常に下側になるように自重によって回動する。この回動に伴って、ロック部材９０は、ストッパ部９２Ｓがスライダ７０の移動経路上に配置される制限状態（図７及び図１３に示される状態）と、スライダ７０の移動経路上に開口部９８が配置される解除状態（図１０に示される状態）とに変移される。
【００６０】
（筐体側磁石）
図７に示されるように、スライダ７０の対向壁部７２の対向面７２Ａには、筐体側磁石５２が設けられる。筐体側磁石５２は、矩形の板状に形成される。また、筐体側磁石５２は、筐体側接合磁石５０から筐体２０の一端部２０Ｅ１側へ離れた位置に配置される。つまり、筐体側接合磁石５０と筐体側磁石５２とは、筐体２０の縦幅方向に間隔を空けて配置される。
【００６１】
筐体側磁石５２は、スタンド側接合磁石４０と同じ磁極とされる。具体的には、例えば、スタンド側接合磁石４０の磁極がＮ極の場合、筐体側磁石５２の磁極はＮ極となる。これとは逆に、例えば、スタンド側接合磁石４０の磁極がＳ極の場合、筐体側磁石５２の磁極はＳ極となる。
【００６２】
筐体側磁石５２は、スライダ７０が筐体２０の他端部２０Ｅ２側へ移動し、筐体側接合磁石５０とスタンド側接合磁石４０との接合状態が解除された後に、スタンド側接合磁石４０と対向される。これにより、図１２に矢印Ｐで示されるように、筐体側磁石５２とスタンド側接合磁石４０との反発力によって、スタンド３０がスタンド収容部２６から展開される。
【００６３】
（スタンドの展開方法）
次に、スタンド３０の展開方法の一例について説明する。
【００６４】
図２に示されるように、利用者は、先ず、スタンド収容部２６にスタンド３０が収容された筐体２０の他端部２０Ｅ２側を持つ。なお、図７に示されるように、スタンド収容部２６にスタンド３０が収容された状態では、筐体側接合磁石５０にスタンド側接合磁石４０が吸着され、筐体側接合磁石５０及びスタンド側接合磁石４０の磁力によってスタンド３０がスタンド収容部２６に拘束される。
【００６５】
次に、図７に示されるように、利用者は、回動体８０を設置面Ｍに設置させた状態で、筐体２０を設置面Ｍ上に略垂直に立てる。この状態では、ロック部材９０が錘部９６を下側に向けた状態となる。これにより、ロック部材９０のストッパ部９２Ｓ（錘部９６）がスライダ７０の移動経路上に配置され、スライダ７０の移動を制限する制限状態となる。
【００６６】
次に、図１０に示されるように、利用者は、片手で筐体２０の他端部２０Ｅ２側を持ちながら、回動体８０の回動軸（回動体用回動軸）８４を中心として筐体２０をスタンド３０側（矢印ｄ側）へ倒す。これにより、ロック部材９０が自重により回動し、制限状態から解除状態に変移される。具体的には、ロック部材９０は、錘部９６が常に下側を向くように、回動軸９４を中心として回動する。これにより、スライダ７０の移動経路上に、ロック部材９０の開口部９８が配置される。
【００６７】
次に、図１１に示されるように、利用者は、片手で筐体２０の他端部２０Ｅ２側を持ちながら、筐体２０をスタンド３０側（矢印Ｇ方向）へ押し、設置面Ｍ上で回動体８０を走行させる。これにより、回動体８０が一対の回動軸８４を中心として拘束解除方向（矢印ｂ方向）へ回動し、押し部８６によってスライダ７０の一端部７０Ｅ１が筐体２０の他端部２０Ｅ２側へ押される。この結果、矢印ｅで示されるように、スライダ７０が、筐体２０の他端部２０Ｅ２側へ移動し、当該スライダ７０の他端部７０Ｅ２がロック部材９０の開口部９８に挿入される。
【００６８】
ここで、図１２に示されるように、スライダ７０が筐体２０の他端部２０Ｅ２側へ移動されると、スタンド側接合磁石４０から筐体側磁石５２が離間し、スタンド側接合磁石４０と筐体側磁石５２との吸着状態（接合状態）が解除される。これにより、スライダ７０が、スタンド収容部２６から展開可能になる。
【００６９】
また、スライダ７０が筐体２０の他端部２０Ｅ２側へ移動されると、筐体側磁石５２がスタンド側接合磁石４０に接近し、当該スタンド側接合磁石４０と対向する。ここで、筐体側磁石５２は、スタンド側接合磁石４０と同じ磁極とされる。そのため、筐体側磁石５２とスタンド側接合磁石４０とが対向すると、図１２に矢印Ｐで示されるように、筐体側磁石５２とスタンド側接合磁石４０との反発力によって、スタンド収容部２６から展開される。
【００７０】
また、スタンド収容部２６から展開されたスタンド３０は、スタンド用弾性体３８（図４参照）の付勢力によってさらに展開され、回動軸３６を中心として回動する。そして、図３に示されるように、スタンド３０が所定位置まで展開されると、図示しない制限部によってスタンド３０の展開が制限される。このスタンド３０によって、筐体２０が設置面Ｍに対して所定の傾斜角度で保持される。
【００７１】
（スタンドの収容方法）
次に、スタンド３０の収容方法の一例について説明する。
【００７２】
スタンド収容部２６にスタンド３０を収容する際には、利用者は、先ず、筐体２０を僅かに持ち上げ、設置面Ｍから回動体８０を離間させる。これにより、回動体用弾性体８８の付勢力によって、回動体８０が拘束解除方向と反対方向（図１２において矢印ｃ方向）に回動する。この結果、スライダ７０が筐体２０の一端部２０Ｅ１側へ自重により移動し、スライダ７０の他端部７０Ｅ２がロック部材９０の開口部９８から引き抜かれる。そして、筐体側接合磁石５０が、スタンド側接合磁石４０と接合（吸着）可能な位置に配置される。
【００７３】
次に、利用者は、回動軸３６を中心としてスタンド３０を筐体２０側へ回動させ、スタンド３０をスタンド収容部２６に収容する。これにより、スタンド側接合磁石４０が筐体側接合磁石５０に接合され、スタンド側接合磁石４０と筐体側接合磁石５０との磁力によってスタンド３０がスタンド収容部２６に拘束される。
【００７４】
（作用及び効果）
次に、本実施形態の作用及び効果について説明する。
【００７５】
本実施形態に係る電子装置１０によれば、前述したように、利用者は片手で筐体２０の他端部２０Ｅ２側を持ちながら設置面Ｍ上で回動体８０を走行させることにより、スタンド収容部２６からスタンド３０を展開させることができる。つまり、利用者は、両手を使わずに、筐体２０からスタンド３０を展開させることができる。したがって、スタンド収容部２６からスタンド３０を展開させる手間が軽減される。
【００７６】
また、利用者が設置面Ｍ上で回動体８０を走行させることにより、スタンド収容部２６からスタンド３０を展開させる。これにより、例えば、利用者が電子装置１０を鞄等に入れる際に、利用者の意図に反してスタンド３０が展開されることが抑制される。このように本実施形態では、利用者が片手でスタンド３０を筐体２０から展開可能にしつつ、利用者が意図しないスタンド３０の展開を抑制することができる。
【００７７】
また、電子装置１０には、ロック部材９０が設けられる。このロック部材９０が制限状態にある場合、スライダ７０の移動が制限される。具体的には、例えば、図７に示されるように、設置面Ｍ上に筐体２０が立てられた状態では、ロック部材９０のストッパ部９２Ｓ（錘部９６）がスライダ７０の移動経路上に配置される。これにより、ストッパ部９２Ｓ（錘部９６）によって、スライダ７０の移動が制限される。
【００７８】
また、例えば、図１３に示されるように、筐体２０の背面２０Ｒが設置面Ｍに設置された状態においても、ロック部材９０のストッパ部９２Ｓがスライダ７０の移動経路上に配置される。これにより、ストッパ部９２Ｓによって、スライダ７０の移動が制限される。したがって、利用者の意図に反して、スタンド収容部２６からスタンド３０が展開されることが抑制される。
【００７９】
さらに、利用者は、図１０に示されるように、片手で筐体２０の他端部２０Ｅ２側を持ちながら、設置面Ｍに対して筐体２０を所定の傾斜角度で傾斜させることにより、ロック部材９０を制限状態から解除状態に変移させることができる。
【００８０】
しかも、図１２に示されるように、スライダ７０が筐体２０の他端部２０Ｅ２側へ移動されると、筐体側磁石５２とスタンド側接合磁石４０とが対向する。これにより、筐体側磁石５２とスタンド側接合磁石４０との反発力によって、スタンド収容部２６からスタンド３０が展開される。さらに、スタンド３０には、スタンド用弾性体３８（図４参照）が設けられる。このスタンド用弾性体３８の付勢力によって、スタンド収容部２６からスタンド３０がさらに展開させる。したがって、スタンド収容部２６からスタンド３０を容易に展開させることができる。
【００８１】
また、回動体８０には、回動体用弾性体８８が設けられる。これにより、回動体８０が拘束解除方向に回動された状態で、回動体８０を設置面Ｍ上から離間させると、回動体用弾性体８８の付勢力によって、回動体８０が拘束解除方向の反対方向（図１２において矢印ｃ方向）へ回動される。この結果、スライダ７０が筐体２０の一端部２０Ｅ１側へ移動され、筐体側接合磁石５０にスタンド側接合磁石４０が接合可能になる。したがって、スタンド収容部２６にスタンド３０を収容する際に、スタンド収容部２６にスタンド３０を容易に拘束することができる。
【００８２】
（変形例）
次に、上記実施形態の変形例について説明する。
【００８３】
（第一変形例）
上記実施形態では、図７に示されるように、筐体２０に筐体側磁石５２が設けられる。しかしながら、図１４に示されるように、スタンド３０にスタンド側磁石４２が設けられても良い。
【００８４】
具体的には、スタンド脚部３４には、スタンド側磁石４２が設けられる。スタンド側磁石４２は、矩形の板状に形成される。また、スタンド側磁石４２は、スタンド側接合磁石４０から筐体２０の他端部２０Ｅ２側へ離れた位置に配置される。つまり、スタンド側磁石４２とスタンド側接合磁石４０とは、筐体２０の縦幅方向に間隔を空けて配置される。
【００８５】
スタンド側磁石４２は、筐体側接合磁石５０と同じ磁極とされる。このスタンド側磁石４２は、スライダ７０が筐体２０の他端部２０Ｅ２側へ移動し、筐体側接合磁石５０とスタンド側接合磁石４０との接合状態が解除された後に、筐体側接合磁石５０と対向される。これにより、スタンド側磁石４２と筐体側接合磁石５０との反発力によって、スタンド３０がスタンド収容部２６から展開される。
【００８６】
（第二変形例）
次に、筐体側磁石５２及びスタンド側磁石４２は、省略可能である。具体的には、図１５に示されるスライダ７０には、筐体側接合磁石５０が設けられるが、筐体側磁石５２は設けられていない。この場合、図１６に示されるように、スライダ７０が筐体２０の他端部２０Ｅ２側へ移動されると、スタンド側接合磁石４０から筐体側磁石５２が離間し、スタンド側接合磁石４０と筐体側磁石５２との吸着状態（接合状態）が解除される。これにより、スライダ７０が、スタンド収容部２６から展開可能になる。
【００８７】
ここで、図１６に示されるように、筐体側磁石５２が省略された場合、筐体側磁石５２とスタンド側磁石４２との反発力が得られず、スタンド３０が展開され難くなる可能性がある。この場合は、例えば、スタンド用弾性体３８（図４参照）の付勢力によって、矢印ａで示されるように、スタンド３０をスタンド収容部２６から展開させても良い。
【００８８】
（その他の変形例）
次に、上記実施形態では、筐体２０の筐体側接合部に、筐体側接合磁石５０が設けられる。しかしながら、筐体２０の筐体側接合部は、例えば、スタンド側接合磁石４０が吸着可能な金属等によって形成されても良い。これと同様に、上記実施形態では、スタンド３０のスタンド側接合部に、スタンド側接合磁石４０が設けられる。しかしながら、スタンド３０のスタンド側接合部は、例えば、筐体側接合磁石５０が吸着可能な金属等によって形成されても良い。つまり、上記実施形態では、筐体側接合部及びスタンド側接合部の少なくとも一方に、磁石を設けることができる。
【００８９】
また、筐体側接合部及びスタンド側接合部には、磁石以外の接合構造が設けられても良い。例えば、スライダの筐体側接合部に係合部が設けられ、スタンドのスタンド側接合部に、係合部に係合される被係合部が設けられても良い。この場合、例えば、スライダの移動に伴って、スタンドの被係合部に対するスライダの係合部の係合状態（接合状態）が解除されるように構成される。
【００９０】
次に、上記実施形態では、筐体２０にロック部材９０が設けられる。しかしながら、ロック部材９０は、省略可能である。
【００９１】
次に、上記実施形態では、筐体２０にスタンド用弾性体３８が設けられる。しかしながら、スタンド用弾性体３８は、省略可能である。また、上記実施形態では、筐体２０に回動体用弾性体８８が設けられる。しかしながら、回動体用弾性体８８は、省略可能である。
【００９２】
次に、上記実施形態では、利用者が筐体２０をスタンド３０側（筐体２０の背面２０Ｒ側）へ走行させると、スライダ７０が移動される。しかしながら、利用者が筐体２０を表示面１２Ａ側（筐体２０の正面２０Ｆ側）へ走行させた場合に、スライダ７０が移動するように構成されても良い。
【００９３】
次に、上記実施形態では、スタンド３０がＵ字形状に形成される。しかしながら、スタンドの形状及び配置は、適宜変更可能である。
【００９４】
また、上記実施形態は、スタンドを備える種々の電子装置に適宜適用可能である。
【００９５】
以上、本願が開示する技術の一実施形態について説明したが、本願が開示する技術は上記の実施形態に限定されるものでない。また、上記実施形態及び各種の変形例を適宜組み合わせて用いても良いし、本願が開示する技術の要旨を逸脱しない範囲において、種々なる態様で実施し得ることは勿論である。
【００９６】
なお、以上の実施形態に関し、さらに以下の付記を開示する。
【００９７】
（付記１）
筐体と、
前記筐体から展開されるスタンドと、
前記筐体から展開される前の前記スタンドを拘束する拘束部と、
前記筐体に設けられ、前記拘束部による前記スタンドの拘束を解除する回動体と、
を備える電子装置。
（付記２）
前記回動体は、前記筐体の一端部に設けられる、
付記１に記載の電子装置。
（付記３）
前記拘束部は、
前記筐体に設けられる筐体側接合部と、
前記スタンドに設けられ、磁力によって前記筐体側接合部に接合されるスタンド側接合部と、
を有し、
前記回動体は、該回動体の回転に伴って前記筐体側接合部を前記スタンド側接合部から離間させる、
付記１又は付記２に記載の電子装置。
（付記４）
前記筐体側接合部は、筐体側接合磁石を有し、
前記スタンド側接合部は、前記筐体側接合磁石と磁極が異なるスタンド側接合磁石を有する、
付記３に記載の電子装置。
（付記５）
前記筐体は、筐体側磁石を有し、
前記スタンドは、前記筐体側磁石と同じ磁極のスタンド側磁石を有し、
前記回動体は、該回動体の回転に伴って前記筐体側磁石を前記スタンド側磁石に接近させ、前記筐体側磁石と前記スタンド側磁石との反発力によって前記スタンドを前記筐体から展開させる、
付記３又は付記４に記載の電子装置。
（付記６）
前記筐体側磁石は、前記筐体側接合部に設けられ、磁力によって前記スタンド側接合部に接合され、
前記スタンド側磁石は、前記スタンド側接合部から離れた位置に配置される、
付記５に記載の電子装置。
（付記７）
前記スタンド側接合部は、前記筐体側磁石と異なる磁極のスタンド側接合磁石を有する、
付記６に記載の電子装置。
（付記８）
前記スタンド側磁石は、前記スタンド側接合部に設けられ、磁力によって前記筐体側接合部に接合され、
前記筐体側磁石は、前記筐体側接合部から離れた位置に配置される、
付記５に記載の電子装置。
（付記９）
前記筐体側接合部は、前記スタンド側磁石と異なる磁極の筐体側接合磁石を有する、
付記８に記載の電子装置。
（付記１０）
前記筐体に設けられ、前記筐体の姿勢を応じ、自重によって前記筐体側接合部の移動を制限する制限状態と、前記筐体側接合部の移動の制限を解除する解除状態とに変移されるロック部材を備える、
付記３〜付記９の何れか１つに記載の電子装置。
（付記１１）
前記筐体に設けられるスライダを備え、
前記回動体は、該回動体の回転に伴って、前記スライダを前記スタンドに対して移動させる押し部を有し、
前記筐体側接合部は、前記スライダに設けられる、
付記１０に記載の電子装置。
（付記１２）
前記ロック部材は、前記制限状態において前記スライダの移動を制限し、前記解除状態において前記スライダの移動の制限を解除する、
付記１１に記載の電子装置。
（付記１３）
前記ロック部材は、前記制限状態において前記スライダの移動経路上に配置され、前記解除状態において前記移動経路上から外れるストッパ部を有する、
付記１１又は付記１２に記載の電子装置。
（付記１４）
前記ロック部材は、前記スライダが挿入され、該スライダの移動を許容する開口部を有し、
前記ストッパ部は、前記開口部の周縁部に設けられる、
付記１３に記載の電子装置。
（付記１５）
前記ロック部材は、前記回動体を下にして前記筐体が設置面上に立てられた状態で前記制限状態となり、前記筐体が前記設置面に対して前記スタンド側へ傾斜された状態で前記解除状態となる、
付記１０〜付記１４の何れか１つに記載の電子装置。
（付記１６）
前記ロック部材は、前記筐体の横幅方向に延びる回動軸を介して前記筐体に連結され、
前記筐体の姿勢に応じ、自重により前記回動軸を中心として回動し、前記制限状態と前記解除状態とに変移される、
付記１０〜付記１５の何れか１つに記載の電子装置。
（付記１７）
前記回動体の回転方向と反対方向に該回動体を付勢する回動体用弾性体(88)を備える、
付記１〜付記１６の何れか１つに記載の電子装置。
（付記１８）
前記回動体は、前記筐体が前記スタンド側へ向かう回転に伴って、前記拘束部による前記スタンドの拘束を解除する、
付記１〜付記１７の何れか１つに記載の電子装置。
（付記１９）
前記スタンドは、前記筐体の厚み方向一方側の面に、該筐体の横幅方向に延びる回動軸(36)を介して連結される、
付記１〜付記１８の何れか１つに記載の電子装置。
（付記２０）
前記スタンドの展開方向に該スタンドを付勢するスタンド用弾性体を備える、
付記１〜付記１９の何れか１つに記載の電子装置。
【符号の説明】
【００９８】
１０      電子装置
２０      筐体
２０Ｅ１  一端部
２０Ｅ２  他端部（筐体の他端部の一例）
２０Ｒ    背面（筐体の厚み方向一方側の面の一例）
３０      スタンド
３６      回動軸（スタンドの回動軸の一例）
３８      スタンド用弾性体
４０      スタンド側接合磁石（スタンド側接合部の一例）
４２      スタンド側磁石
５０      筐体側接合磁石（拘束部及び筐体側接合部の一例）
５２      筐体側磁石
７０      スライダ
８０      回動体
８６      押し部
８８      回動体用弾性体
９０      ロック部材
９２Ｓ    ストッパ部
９４      回動軸（ロック部材の回動軸の一例）
９８      開口部
Ｍ        設置面
Ｘ        矢印（筐体の横幅方向の一例）
【図１】
2018206852.tif 000003
【図２】
2018206852.tif 000004
【図３】
2018206852.tif 000005
【図４】
2018206852.tif 000006
【図５】
2018206852.tif 000007
【図６】
2018206852.tif 000008
【図７】
2018206852.tif 000009
【図８】
2018206852.tif 000010
【図９】
2018206852.tif 000011
【図１０】
2018206852.tif 000012
【図１１】
2018206852.tif 000013
【図１２】
2018206852.tif 000014
【図１３】
2018206852.tif 000015
【図１４】
2018206852.tif 000016
【図１５】
2018206852.tif 000017
【図１６】
2018206852.tif 000018